(57)【要約】      （修正有）【課題】送り人から受取人へ郵送するためのグラフィックディスプレイ付き郵便物を提供する。【解決手段】郵便物１０は、周囲部と、互いに反対の内側面及び外側面とを有する前面シート１４を備えている。前面シート１４の外側面２２は受取人の住所を書くようになっている。前面シート１４は第１の平面内にある。郵便物は、周囲部と、互いに反対の内側面及び外側面とを有する裏面シート１６を備えている。裏面シート１６は第１の平面と平行離隔関係にある第２の平面内にある。グラフィックディスプレイ１２は、第１及び第２の平面に平行な第３の平面内にある。グラフィックディスプレイ１２は、第３の平面内において前面シート１４及び裏面シート１６の周囲部の外側に延びる突出部を有する。グラフィックディスプレイ１２は、不規則形状を有する複数のインターロックコンポーネントを有する。【選択図】      図１
2004155499.tif 000002
【特許請求の範囲】
【請求項１】
送り人から住所を有する受取人への郵送用郵便物であって、
周囲部及び互いに反対の内側面及び外側面を有する前面シートと、
周囲物及び互いに反対の内側面及び外側面を有する裏面シートと、
前面シートと裏面シートとの間にあるグラフィックディスプレイとより成り、
前面シートの外側面は受取人の住所を書くようになっており、前面シートは第１の平面内にあり、
裏面シートは第１の平面と平行離隔関係にある第２の平面内にあり、
グラフィックディスプレイは第１及び第２の平面に平行な第３の平面内にあり、第３の平面内を前面シート及び裏面シートの周囲部の外側へ延びる突出部を有し、
グラフィックディスプレイは不規則形状を有する複数のインターロックコンポーネントを有する郵便物。
【請求項２】
不規則形状を有する複数のインターロックコンポーネントのうち少なくとも１つのコンポーネントは、不規則形状を有する複数のインターロックコンポーネントのうちの別のコンポーネントを受ける開口を有する請求項１の郵便物。
【請求項３】
不規則形状を有する複数のインターロックコンポーネントのうち少なくとも１つのコンポーネントは雌型部分を有し、不規則形状を有する複数のインターロックコンポーネントのうち少なくとも１つのコンポーネントは雌型部分と係合する雄型部分を有する請求項１の郵便物。
【請求項４】
裏面シートは封筒を有する請求項１の郵便物。
【請求項５】
前面シート、裏面シート及びグラフィックディスプレイはそれぞれ厚みを有し、組合わせた全厚は少なくとも８分の１インチである請求項１の郵便物。
【請求項６】
グラフィックディスプレイは柔軟性シート材料を含む請求項１の郵便物。
【発明の詳細な説明】
【発明の技術分野】
【０００１】
本発明は郵便物に関し、さらに詳細には、インターロックコンポーネントを有する郵便物用グラフィックディスプレイに関する。
【発明の背景】
【０００２】
書簡を郵送するための封筒及び他の容器が一般的に知られているが、それらには装飾用のグラフィックスがない。かかる封筒は、活字の言葉または封筒の上に直接印刷したデザインもしくは絵以上のメッセージを受取人へ伝える手段にはならない。
【０００３】
組立てが容易で、郵便局の取扱いに耐えうる十分な構造的一体性を有するグラフィックデザイン付き郵便物が求められている。
【発明の概要】
【０００４】
本発明によると、送り人から受取人に郵送する郵便物は、周囲部と、互いに反対の内側及び外側面を有する前面シートを備えている。前面シートの外側面は受取人の住所を書くようになっている。前面シートは第１の平面内にある。この郵便物は、周囲部と、互いに反対の内側及び外側面を有する裏面シートも備えている。裏面シートは、第１の面と平行離隔関係にある第２の面内にある。前面シートと裏面シートとの間の、前面シートの内側面と裏面シートの内側面とに隣接したところに、グラフィックディスプレイがある。このグラフィックディスプレイは、第１及び第２の面と平行な第３の平面内にある。グラフィックディスプレイは、第３の面内を前面シートの周囲部及び裏面シートの周囲部の外側へ延びる突出部を有する。グラフィックディスプレイは、不規則形状を有する複数のインターロックコンポーネントを有する。
【発明を実施するための最良の形態】
【０００５】
図１−３ａを同時に参照して、本発明による郵便物を総括的に参照番号１０で示す。この郵便物１０は、旗のグラフィックディスプレイ１２を有する。グラフィックディスプレイ１２は、郵便物１０の前面シート１４と裏面シート１６との間にある。前面シート１４は裏面シート１６と離隔関係にあるため、それらの間にグラフィックディスプレイ１２を介在させることができる。旗のグラフィックディスプレイ１２は、旗１８と旗竿２０とを有する。
【０００６】
図３ａに最もよく示されるように、旗１８の一部１８ａと旗竿２０の一部２０ａとは、前面シート１４及び裏面シート１６の周囲部の外側へ延びている。一部１８ａおよび２０ａは、前面シート１４及び裏面シート１６を含む平面に平行な共通平面内にある。
【０００７】
前面シート１４は、郵便物１０の受取人の住所を記入する外側面２２を有する。前面シート１４は内側面２４を有する。裏面シート１６は、外側面２６と、それと反対側の内側面２８とを有する。前面シート１４の内側面２４と、裏面シート１６の内側面２８とは、グラフィックディスプレイ１２に隣接している。裏面シート１４の外側面２６は郵便物１０の封筒部分３０を有するが、郵便物１０をはがきとして利用する場合は、裏面シート１６の外側面２６を郵便物１０の送り人のメッセージ書込み部分として利用できるため、封筒部分３０は不要である。
【０００８】
前面シート１４の内側面２４と裏面シート１６の内側面２８とは、例えば、湿性接着剤、圧力感知接着剤などを含む両面接着剤を用いるなどしてグラフィックディスプレイ１２に接着される。
【０００９】
前面シート１４及び裏面シート１６は、郵便物１０に物理的安定性を与えるため、カード用素材、板紙、プラスチック材または厚紙のような半剛性材料より成るものでよい。前面シート１４及び裏面シート１６は通常、同一形状、長さ、幅及び厚さを有するように構成されるが、前面シート１４と裏面シート１６とを郵便物の全体設計に応じて異なる形状にしてもよい。グラフィックディスプレイ１２は、例えば、発泡材のような柔軟性材料で構成してもよい。
【００１０】
図３ｂ及び３ｃを参照して、本発明による旗のグラフィックディスプレイ１２は、不規則形状を有する複数のインターロックコンポーネント４０−５２を有する。コンポーネント４０−５２は、ジグゾーパズルと非常によく似た態様で相互に連結している。コンポーネント４０−５２は、グラフィックディスプレイ１２を形成するために異なる色彩を有し、種々のタイプの材料で製造することが可能である。コンポーネント４０−５２は、種々の形状の部分的開口を含む雄型材料及び雌型材料の噛合せを利用して係合させる。例えば、コンポーネント４０の雄型部分４０ａはコンポーネント４２の部分的開口の雌型部分４２ａと係合する。同様に、コンポーネント５２の雄型部分５２ａ及び５２ｂは、コンポーネント４４の雌型部分４４ａ及び４４ｂにそれぞれ係合する。図３ｃはコンポーネント４２−５０の相互連結態様を示し、図３ｃはグラフィックディスプレイ１２の１つの構成を示すが、それよりも少数のまたは多数のコンポーネントを連結して種々の構成にすることができることがわかる。
【００１１】
インターロックコンポーネント４０−５２の使用により、組立てる人がグラフィックデザイン１２の全体設計に対する各ピースの正しい位置関係を認識し易くなるため、グラフィックディスプレイ１２の組立てが簡単になる。例えば、多数のマルチピースのディスプレイに用いるグラフィックディスプレイの２つの異なるコンポーネントがよく似ていても、連結部の形状及び／または位置が相違するため、組立てる人はこれら２つのコンポーネントを識別し易く、各コンポーネントがグラフィックディスプレイ全体のどこにフィットするかを容易に認識できる。さらに、インターロックコンポーネント４０−５２を用いるため、前面シート１４及び裏面シート１６への組込む前にグラフィックディスプレイ１２の構造をそのままの状態に維持するのが容易である。前面シート１４及び裏面シート１６を組立てた後、前面シート１４及び裏面シート１６の周囲部を越えて延びるコンポーネント４０−５２のうち特定のコンポーネントを外部から引っ張ると、その力は前面シート１４と裏面シート１６との間に含まれるコンポーネント４０−５２のうち隣接するコンポーネントへ分散されるため、インターロックコンポーネント４０−５２は郵便物１０の構造的一体性を増強する。外部から加える力がこのように分散されるため、各コンポーネント４０−５２は、本発明のインターロック構成を具備しない場合に各コンポーネントが耐え得る力よりも大きい力に耐えることができる。
【００１２】
インターロックコンポーネント４０−５２をこのように使用する場合得られるさらに別の利点は、例えば、コンポーネント４０のような比較的小さなコンポーネントを使用できることである。コンポーネント４０はそれより大きいコンポーネント４２に固定されており、この大きいコンポーネント４２はコンポーネント４４に固定されているため、コンポーネント４０を定位置に維持し、コンポーネント４０を前面シート１４及び裏面シート１６の周囲部を越えて延びるようにすることができる。
【００１３】
図４ａ−４ｃを参照して、図示の郵便物１０は、赤子の誕生を通知するために使用できるコウノトリのグラフィックディスプレイ６０を含む。このグラフィックディスプレイ６０は、前面シート１４及び裏面シート１６の周囲部を越えて延びる部分を有し、羽根６２、頭６４、とさか６５、脚６６、コード６８及び袋７０を有する。
【００１４】
図４ｂ及び４ｃを同時に参照して、コウノトリのグラフィックディスプレイ６０は不規則形状のインターロックコンポーネント７２−７８を有する。コンポーネント７６はコウノトリの脚６６を表し、雄型部分７６がコンポーネント７２の雌型部分７２ａと係合する。コンポーネント７８はコード６８と袋７０とを有し、コンポーネント７２の雌型部分７８ａが雄型部分７２ｂと係合する。コウノトリの帽子６５を表すコンポーネント７４は雄型部分７４ａを有し、この部分はコンポーネント７２の雌型部分７２ｃと係合する。不規則形状のインターロックコンポーネント７２−７８は、旗のグラフィックディスプレイ１２に関連して述べたコンポーネント４０−５２と同じ態様で機能する。前述したように、コンポーネント７２−７８の形状は、郵便物１０の前面シート１４及び裏面シート１６から外方へ延びるグラフィックディスプレイのサイズ、カラー及び部分に応じて異なる。
【００１５】
図５ａ−５ｃを参照して、図示の郵便物１０の別の実施例は、パーティ開催の通知に使用できる総括的に参照番号９０で示すサルサのグラフィックディスプレイを有する。グラフィックディスプレイ９０は、サルサ９４を入れたボウル９２を有する。グラフィックディスプレイ９０はまた、郵便物の前面シート１４及び裏面シート１６の周囲部を越えて延びるチップ９６、ペパー９８を有する。
【００１６】
図５ｂ及び５ｃを参照して、グラフィックディスプレイ９０は不規則形状のインターロックコンポーネント１０２−１０８を有する。コンポーネント１０２は全てのチップ９６を形成する。コンポーネント１０４は全てのペパー９８を形成する。コンポーネント１０６はボウル９２を、またコンポーネント１０８はサルサ９４を形成する。コンポーネント１０２−１０８を使用することにより、グラフィックディスプレイ９０の各要素にそれぞれ独立の色彩を用いることが可能となり、また、ディスプレイ９０の多数の同様な特徴部分を単一のコンポーネントで形成することができる。例えば、コンポーネント１０８は全部で３つのチップ９６より成り、コンポーネント１０４は全部で３つのペパー９８より成る。コンポーネント１０２−１０８は、前述したコンポーネント４０−５２及び７２−７８と同じ態様で相互連結する。例えば、コンポーネント１０６の雄型部分１０６ａはコンポーネント１０２の雌型部分１０２ａと係合する。さらに、コンポーネント１０２の雄型部分１０２ｂはコンポーネント１０２の雌型部分１０２ａと係合する。
【００１７】
図６ａ−６ｃを参照して、図示の本発明の郵便物１０のさらに別の実施例は、誕生日パーティの通知に利用できる総括的に参照番号１２０で示すバルーンのグラフィックディスプレイである。バルーンのディスプレイ１２０は、バルーン１２２、１２４より成り、それらの一部は郵便物の前面シート１４及び裏面シート１６の周囲部を越えて延びている。
【００１８】
図６ｂ及び６ｃを参照して、バルーンのディスプレイ１２０は、不規則形状のインターロックコンポーネント１２６及び１２８を有する。コンポーネント１２８の雄型部分１２８ａ、１２８ｂはそれぞれコンポーネント１２６の雌型開口１２６ａ、１２６ｂと係合する。
【００１９】
郵便物１０を、旗のグラフィックディスプレイ１２、コウノトリのグラフィックディスプレイ６０、サルサのグラフィックディスプレイ９０及びバルーンのグラフィックディスプレイ１２０を含むものとして示したが、郵便物１０との組合せで多数のグラフィックディスプレイを利用することが可能であり、これら４つのディスプレイは例示的にすぎず、本発明を限定する意図はない。
【００２０】
前面シート１４及び裏面シート１６の幅はそれぞれ、それらの外側面と内側面との間の幅である。さらに、郵便物１０に付随するグラフィックディスプレイの幅は、その面の間の幅である。郵便物１０の全厚は少なくとも約８分の１インチであり、一般的には約４分の１インチである。
【００２１】
本発明を特定の実施例に関連して説明したが、当業者には種々の変形例及び設計変更が想到され、それは頭書の特許請求の範囲内に含まれるかかる変形例及び設計変更を包含するものである。
【図面の簡単な説明】
【００２２】
【図１】本発明による郵便物の前方展開斜視図である。
【図２】図１の郵便物の裏方展開斜視図である。
【図３ａ】図１の旗の郵便物の平面図であり、本発明の代表的な実施例を示す。
【図３ｂ】グラフィックディスプレイのコンポーネントを示す図３ａの旗のグラフィックディスプレイの平面図である。
【図３ｃ】図３ｂに示すコンポーネントの展開平面図である。
【図４ａ】本発明の代表的実施例であるコウノトリの郵便物の平面図である。
【図４ｂ】図４ａに示すコウノトリのグラフィックディスプレイの平面図であり、そのグラフィックディスプレイのコンポーネントを示す。
【図４ｃ】図４ｂのコンポーネントの展開平面図である。
【図５ａ】本発明の代表的実施例であるサルサの郵便物の平面図である。
【図５ｂ】図５ａに示すサルサのグラフィックディスプレイの平面図であり、そのグラフィックディスプレイのコンポーネントを示す。
【図５ｃ】図５ｂのコンポーネントの展開平面図である。
【図６ａ】本発明の代表的実施例であるバルーンの郵便物の平面図である。
【図６ｂ】図５ａに示すバルーンのグラフィックディスプレイの平面図であり、そのグラフィックディスプレイのコンポーネントを示す。
【図６ｃ】図６ｂのコンポーネントの展開平面図である。
【図１】
2004155499.tif 000003
【図２】
2004155499.tif 000004
【図３ａ】
2004155499.tif 000005
【図３ｂ】
2004155499.tif 000006
【図３ｃ】
2004155499.tif 000007
【図４ａ】
2004155499.tif 000008
【図４ｂ】
2004155499.tif 000009
【図４ｃ】
2004155499.tif 000010
【図５ａ】
2004155499.tif 000011
【図５ｂ】
2004155499.tif 000012
【図５ｃ】
2004155499.tif 000013
【図６ａ】
2004155499.tif 000014
【図６ｂ】
2004155499.tif 000015
【図６ｃ】
2004155499.tif 000016
【外国語明細書】
2004155499.tif 000017
2004155499.tif 000018
2004155499.tif 000019
2004155499.tif 000020
2004155499.tif 000021
2004155499.tif 000022
2004155499.tif 000023
2004155499.tif 000024
2004155499.tif 000025
2004155499.tif 000026
2004155499.tif 000027
2004155499.tif 000028
2004155499.tif 000029
2004155499.tif 000030
2004155499.tif 000031
2004155499.tif 000032
2004155499.tif 000033
2004155499.tif 000034
2004155499.tif 000035
2004155499.tif 000036
2004155499.tif 000037
2004155499.tif 000038
2004155499.tif 000039